(57)【要約】【課題】従来の素振り用木刀では、１ｍを超える長さがあるので、自宅の屋内で鍛錬のために素振りをすると天井に当ってしまうことになり叶わなかった。また、１１５ｃｍの素振り用木刀では約１Ｋｇ，１０６ｃｍのそれでは８００ｇと重く、柄の長さは良いが太すぎるので竹刀に持ち替えたときに違和感があり、素振りの稽古が生きないことにもなりかねなかった。【解決手段】全長は８５ｃｍと短くし、柄頭１から剣先２に至るまで順次太く、刀身３は丸峯すなわち断面瓜実形とし、柄４は柄頭１で１０ｃｍ刀身３との境で１１ｃｍとなるように順次太い断面楕円状をなすようにした。【選択図】図１
2008099869.tif 000002
【特許請求の範囲】
【請求項１】
全体としての長さを７５ｃｍ乃至９５ｃｍとし、刀身は剣先に向けて順次太くした丸峯すなわち断面瓜実形とし、柄は柄頭で９乃至１０．５ｃｍ、刀身との境で１０乃至１２ｃｍとなるように順次太い断面楕円状をなし、全体としての重さを５５０ｇ乃至７５０ｇにしたことを特徴とする素振り用木刀。
【請求項２】
刀身の両側に剣先側から樋を凹設し、刃筋正しく振ると風切り音が発生するようにしたことを特徴する請求項１記載の素振り用木刀。
【請求項３】
樋を幅６ｍｍ、深さを３ｍｍ乃至５ｍｍ、長さを１５ｃｍとしたことを特徴とする請求項２記載の素振り用木刀。
【請求項４】
樋を幅６ｍｍ、深さを３ｍｍ乃至５ｍｍ、長さを５０ｃｍとしたことを特徴とする請求項２記載の素振り用木刀。  
【発明の詳細な説明】
【技術分野】
【０００１】
この発明は、室内でも用いることのできる素振り用木刀に関するものである。
【背景技術】
【０００２】
従来、一般的な木刀は、断面が扁平な楕円形をなし、素材は赤樫や白樫が多く、黒檀、白檀、すぬけ、枇杷などの高価な素材もある。
長さは大刀、小刀に合わせて、大木刀、小木刀がある。大木刀は１ｍ前後であり、小木刀は５０ｃｍ〜６０ｃｍ程度である。日本剣道形や強く打ち合う稽古をする場合には鍔をつける木刀もある。
鍛錬用の素振り用木刀で、長さを１.１５ｍと長くして刀身を八角や櫂形など極端に太く重くして手の内を鍛えることを目的にしているものもある。
そして、一般的な素振り用の木刀でも、刀身を太くして、長さは１ｍを超え、１．１５ｍ程度のものも提供されている。
【０００３】
特許文献１及び２には図面で、非特許文献３には販売しているとして図９に示す素振り用木刀が提示されている。
図９に示す素振り用木刀は、長さが１ｍを若干超える程度で、平峯形をなし刀身１０は略同じ太さで、剣先から柄まで日本刀様に反っており、刀身の両側面の切先付近から柄の近辺に至る樋１１を凹設したものである。
【０００４】
【特許文献１】特開２００３−１０２８９０
【特許文献２】実開平２−２３５７２
【非特許文献１】武道具総合カタログ２００６  株式会社ミツボシ
【発明の開示】
【発明が解決しようとする課題】
【０００５】
剣道において竹刀の基本的な握り方は雑巾を絞る形である。初心者にその形を覚えさせるために、木刀で刃筋と握り方を身に付けさせ、その後に、竹刀を握ると上達が早い。
最初から竹刀を握って稽古をすると野球のバットの握りになってしまいがちで刃筋正しい打ち方がなかなかできないことになる。  
素振りも剣道形も一般型木刀でなすのが良いが、一般型木刀で素振りをするには重量が足りなかった。一般の素振り用木刀では、全体が太く当然柄も太いので、試合や昇段審査において素振りが生きないことになっていた。
【０００６】
従来販売されている素振り用木刀では、１ｍを超える長さがあるので、自宅の屋内で鍛錬のために素振りをする要望もあったが、一般の家屋やマンション内で振り回せば特に天井に当ってしまうことになり叶わなかった。
そこで、高段者の指導の下で、手の指、手首、腕の筋肉の使い方等の手の内の鍛錬を、剣道場や屋外の広い場所でなさざるを得なかった。
【０００７】
また、１１５ｃｍの素振り用木刀では約１Ｋｇ，１０６ｃｍのそれでは８００ｇと重くなってしまう。加えて、柄の長さは良いが太すぎるので竹刀に持ち替えたときに違和感があり、素振りの稽古が生きないことにもなりかねなかった。同じく、昇段審査における一般型木刀を用いた剣道型においても素振りの稽古が活かされないことになっていた。
剣道における素振りの稽古は、竹刀や木刀を、上下、斜め上下に振物運動において、横ぶれなく、勢い良く、まっすぐ刃筋正しく振りかつ急停止するためのものである。
【０００８】
全日本剣道連盟の剣道試合審判規則の第１２条に「有効打突は、充実した気勢、適正な姿勢をもって、竹刀の打突部で打突部位を刃筋正しく打突し、残心あるものとする。」とあり、第１３条には「竹刀の打突部は、物打を中心とした刃部（弦の反対側）とする。」とされている。
そして、剣道試合審判細則規則第１０条に前記規則第１２条の「刃筋正しく」とは、竹刀の打突方向と刃部の向きが同一方向である場合とする、とその意義が定義されている。
【０００９】
そこで、従来の図９に示す素振り用木刀では、正しい振り方でなくても空気を切る音が発生するのであたかも正しい振りと錯覚し誤解することになるので、昇段審査合格のための訓練として用いる素振刀としては適切でないといえる。
また、昇段審査の実技の一部に木刀が使われるが、日頃の素振りの稽古で刃筋正しく振ることを自覚できないと審査に合格しない。
【００１０】
古くは、素振り用木刀は重くして力をつけるのが有効とされていたが最近のスポーツ剣道ではより早く振って相手より一歩先に当てることが重要視されるようになっている。そのためにむやみに重い木刀は避けられスピードある素振りができるよう、大人でも７００ｇ前後、高校生６５０ｇ前後、中学生６００ｇ前後の軽め素振り用木刀が必要であるといえる。しかし、製品化されていないので、無理をして柄も含めて太目の素振り用木刀が使用されている。
【課題を解決するための手段】
【００１１】
この発明はこのような課題を解決するためのもので、請求項１の素振り用木刀は、全体としての長さを７５ｃｍ乃至９５ｃｍとし、刀身は剣先に向けて順次太くした丸峯すなわち断面瓜実形とし、柄は柄頭で９乃至１０．５ｃｍ、刀身との境で１０乃至１２ｃｍとなるように順次太い断面楕円状をなし、全体としての重さを５５０ｇ乃至７５０ｇにしたことを特徴とする。
請求項２の素振り用木刀は、刀身の両側に剣先側から樋を凹設し、刃筋正しく振ると風切り音が発生するようにしたことを特徴する。
【００１２】
請求項３の素振り用木刀は、樋を幅６ｍｍ、深さを３ｍｍ乃至５ｍｍ、長さを１５ｃｍとしたことを特徴とする。
請求項４の素振り用木刀は、樋を幅６ｍｍ、深さを３ｍｍ乃至５ｍｍ、長さを５０ｃｍとしたことを特徴とする。  
【発明の効果】
【００１３】
この発明は以上のような構成からなるもので、請求項１の発明では、全長を７５ｃｍ乃至９５ｃｍ程度としたので普通の身長であれば室内で素振りの稽古をすることができるのである。またその際に握る柄を竹刀や一般的な木刀と略同じ太さとしてあるので、試合や昇段試験で竹刀を振ったとき違和感がなく素振りの稽古が生きることになる。
請求項２の発明に係わる素振り用木刀では、刀身に樋を凹設するようにしたので、刃筋正しく振ったときに空気を切る音が発生することになる。熟練度によって適切な長さの樋とするようにする。
【００１４】
請求項３の発明では、樋を剣先側から幅６ｍｍ、深さを３ｍｍ乃至５ｍｍ、長さを１５ｃｍとしたので、高段者用に好適なものといえる。樋の長さが短いと大きく刃筋正しく振らないと風切り音の発生が生じないからである。
請求項４の発明では、樋の長さを５０ｃｍとし刀身のほとんどに設けるようにしたので、刃筋が正しければ比較的容易に風切り音が発生することになる。
段位が上がるにつれて大きな剣道をしないと審査に合格しないので、段位の上がる度に樋の長さを短いものを選択すれば良い。正しい振りをなせば風切り音が発生するので、昇段審査に参加する剣士の練習に好適で、風切り音が励みになり、楽しんで上達することができることになる。
【発明を実施するための最良の形態】
【００１５】
以下図面に示すこの発明の実施の形態に即して説明する。
図１は、この発明に係る素振り用木刀Ｓの正面図であり、図２は要部の斜視図、図３乃至図６は図１の拡大断面図、図７は別の実施の形態の素振り用木刀の正面図である。
図１乃至図６に示すこの素振り用木刀Ｓは、素材を白樫とし削りだして構成するものである。
全長は８５ｃｍと従来より短めとして室内で上段から振り下ろしても天井につかえない長さにしてある。これは身長１８０ｃｍ前後までの人であれば用いることができる。
柄頭１から剣先２に至るまで順次太くなるようにしてあり、刀身３は５３ｃｍで剣先２に向けて順次太くした丸峯すなわち断面瓜実形とし、柄４は柄頭１で１０ｃｍから刀身３との境で１１ｃｍとなるように順次太い断面楕円状をなすようにしてある。
刀身３には尖端を構成するように、刃部５に向けて傾斜した削ぎ落とし部６を設けている。
【００１６】
柄４と刀身３を分ける目印として幅３ｍｍ深さ１ｍｍ程度の周溝７を柄頭１から３２ｃｍの箇所に設けるようにしてある。大人は特に自分に合わせて柄４を持つ位置を変えることがある。そこで、柄４としての長めの３２ｃｍの位置に目安として付したのである。そこで、周溝７に代えて低い突起としたり、別途薄い色を塗って目印としても良い。
周溝７の位置は最長で柄頭１から３４ｃｍの箇所に設けても良い。
柄頭１の太さは１０ｃｍから１０.５ｃｍで、目印の周溝７あたりで１１ｃｍ程度としてある。剣先２に近い一番太い箇所で１３ｃｍから１５ｃｍとしている。
図示しないが、大人用竹刀に柄皮を被せると、柄頭の太さは９．５ｃｍから１０ｃｍとなる。一般用の木刀でも柄頭の太さは約１０ｃｍである。そして、竹刀でも右手で握る箇所の柄の太さは１１ｃｍである。実施の形態における柄４の太さはこれらに準拠するものである。そこで、昇段試験で竹刀を振ったときに素振り用木刀における稽古が生かせるのである。
ただ、従来は両手で握る柄の部分の断面形状は丸形か楕円形に限定されるもので、刀身３は丸峯すなわち断面瓜実形としてあるが、柄４は握り易さと竹刀や一般の木刀にあわせて断面楕円状としてある。
【００１７】
刀身３の両側の刃部５に向けて窄まるように湾曲する面に弧状をなす樋８を凹設し、刃筋正しく振ると空気を切り音が発生するようにしてある。
この樋８は、幅６ｍｍ、深さは３ｍｍ乃至５ｍｍであり、剣先２側から設けるようにしたものである。長さは１５ｃｍとしてある。長さが短いほど刃筋正しく大きく振らないと風切り音が発生しないので、高段者用であるといえる。
【００１８】
図７は別の実施の形態を示すもので、樋８の長さを５０ｃｍと長くしたものである。これは初心者に好適なもので、比較的風切り音の発生が容易であるが、刃筋正しく振らないと音の発生がないので一人での素振り練習に好適なものとなる。
図示しないが、６段までの受験者にとっては、樋８の長さを３０ｃｍから４０ｃｍとしたものを提供しても良い。樋８の幅は６ｍｍに限定されず適宜狭めたり広げたりすることもできる。
【００１９】
素振り用木刀Ｓの全長を８５ｃｍとし、白樫を素材とすると６５０ｇから７５０ｇ程度であるが、赤樫を素材とすると若干軽く５５０ｇから６５０ｇ程度の範囲に収まる。
大人でも７００ｇ程度まで、高校生で６５０ｇ前後、中学生でも６００ｇ前後という軽めの素振り用木刀として適正な範囲内に入ることになる。
素振り用木刀Ｓの全長を７５ｃｍから９５ｃｍの範囲内とし、素材の選択と使用者の身長に合わせた長さを選択することで所定の重量の範囲内に収まり室内で用いるようにすることもできる。
なお、中高校生用としての柄４は、柄頭４で９ｃｍ、刀身３との境で１０ｃｍの太さとすることが適切であるといえる。
【００２０】
スピードある素振りが重要であるが、早く振れば振るほど高段者でない限り体勢が崩れ刃筋の通った振りはできない。この発明に係る素振り用木刀では樋８の長短はあるものの正しい振りをしないと音は発生しないことになる。
稽古で一番重要なものに「切り返し」がある。これは前方に人を立たせて左面、右面と交互に打つ稽古である。左面は普通の構えから楽に打つことができるが、右面は手首を大きく返さないと打てないので不自然な体勢となり刃筋正しく振り下ろして打つことは、初心者また高段者でも難しいといえます。
切り返しで左右共に風切り音が発生するようになれば、正しい握り、正しい刃筋の打ち方を会得したといえる。
【００２１】
これまでの実施の形態では、刀身３の断面形状を丸峯すなわち瓜実形としたものとしたが、刀身３の断面形状は楕円形でなく、刃部５に向かって肉厚が薄くなる側面を備えていれば図８に提示するように平峯（イ）、剣峯（ロ）、行の峯（ハ）であっても、その両側面に樋８を設ければ、風切り音が発生するので、これらの形態としても良い。しかし、体積が多いのは丸峯すなわち瓜実形であるので、全長が短かい場合に白樫或いは赤樫で所定の重量を確保するには丸峯が適するといえる。白樫或いは赤樫であっても若干長めであったり、比重の重い素材を用いれば図８の刀身３の形状を選択することもできる。
また、図１乃至図６に示す実施の形態では、柄頭１から剣先２まで全体として太くなるように削り出しているが、柄頭１から剣先２まで刀身３及び柄４の身巾を同一になるよう（平面同一形状となる）削り出してもよい。この場合正面図では図１、図７と同一となる。これは重い素材を用いるときに好適である。
【図面の簡単な説明】
【００２２】
【図１】この発明に係る素振り用木刀の正面図である。
【図２】この発明に係る素振り用木刀の要部斜視図である。
【図３】図１のＡーＡ断面図である。
【図４】図１のＢ−Ｂ断面図である。
【図５】図１のＣ−Ｃ断面図である。
【図６】図１のＤ−Ｄ断面図である。
【図７】別の実施の形態の素振り用木刀の正面図である
【図８】別の実施の形態の刀身の断面図を示す。
【図９】従来の素振り用木刀の正面図である。
【符号の説明】
【００２３】
Ｓ    素振り用木刀
１    柄頭
２    剣先
３    刀身
４    柄
５    刃部
６    削ぎ落とし部
７    周溝
８    樋
【図１】
2008099869.tif 000003
【図２】
2008099869.tif 000004
【図３】
2008099869.tif 000005
【図４】
2008099869.tif 000006
【図５】
2008099869.tif 000007
【図６】
2008099869.tif 000008
【図７】
2008099869.tif 000009
【図８】
2008099869.tif 000010
【図９】
2008099869.tif 000011